(57)【要約】【課題】高周波発振に適し且つ、不要共振が発生しないハートレー型水晶発振器を提供する。【解決手段】ベース接地型増幅回路用トランジスタのコレクタ・エミッタ間に並列接続した圧電振動子と、前記トランジスタのエミッタ・接地間に挿入接続した容量及び抵抗から成る並列回路と、前記トランジスタのコレクタ・電源間に挿入接続した容量と抵抗及びインダクタンスから成る並列回路と、前記電源に接続された接地用のバイパス容量とを備えたことを特徴とする。【選択図】　　　　図１
2004048689.tif 000002
【特許請求の範囲】
【請求項１】
ベース接地型増幅回路用トランジスタのコレクタ・エミッタ間に並列接続した圧電振動子と、前記トランジスタのエミッタ・接地間に挿入接続した容量及び抵抗から成る並列回路と、前記トランジスタのコレクタ・電源間に挿入接続した容量と抵抗及びインダクタンスから成る並列回路と、前記電源に接続された接地用のバイパス容量とを備えたことを特徴とするハートレー型圧電発振器。
【請求項２】
ベース接地型増幅回路用トランジスタのエミッタ・接地間に挿入接続した抵抗をエミッタ抵抗としたコレクタ接地型増幅回路用トランジスタを備え、該コレクタ接地型増幅回路用トランジスタのベースと前記ベース接地型増幅回路用トランジスタのコレクタとの間に挿入接続するよう圧電振動子を備え、前記ベース接地型増幅回路用トランジスタのコレクタ・電源間に挿入接続した容量と抵抗及びインダクタンスから成る並列回路と、前記コレクタ接地型増幅回路用トランジスタのベース・エミッタ間若しくはベース・接地間に挿入接続した容量と、前記電源に接続された接地用のバイパス容量とを備えたことを特徴とするハートレー型圧電発振器。
【請求項３】
前記ベース接地型増幅回路用トランジスタのエミッタ側に接続した容量が可変容量素子であることを特徴とする請求項１又は請求項２記載のハートレー型圧電発振器。
【請求項４】
前記圧電振動子が２ポート型圧電振動子であることを特徴とする請求項１乃至請求項３記載のハートレー型圧電発振器。
【請求項５】
同相アンプを構成するロジックＩＣと該ロジックＩＣの入出力端に並列接続した２ポート型圧電振動子と、前記ロジックＩＣの出力端と接地との間に挿入接続した容量と、前記ロジックＩＣの入力端と接地との間に挿入接続した容量及びインダクタンスから成る並列回路とを備えたことを特徴とするハートレー型圧電発振器。
【請求項６】
同相アンプを構成するロジックＩＣと該ロジックＩＣの入出力端に並列接続した２ポート型圧電振動子と、前記ロジックＩＣの入力端と接地との間に挿入接続した容量と、前記ロジックＩＣの出力端と接地との間に挿入接続した容量及びインダクタンスから成る並列回路とを備えたことを特徴とするハートレー型圧電発振器。
【請求項７】
前記水晶発振器の圧電振動子を除く回路構成部分に於ける負荷容量成分とインダクタンス成分及び角周波数ωの２乗の積算値が１より小さい値であり、前記回路構成部分に於けるリアクタンスが容量性であることを特徴とする請求項１乃至請求項６記載のハートレー型圧電発振器。
【発明の詳細な説明】
【０００１】
【発明の属する技術分野】
本発明は圧電発振器に関し、安定な発振動作が得られる高周波発振に適した圧電発振器に関する。
【０００２】
【従来の技術】
従来、圧電発振器の中でも優れた周波数安定度を有する水晶発振器としてハートレー型発振器が知られている。
図１５は「１９７３年１２月１日発行、誠文堂新光社出版、電子展望半導体技術」に記載された従来のハートレー型水晶発振器の基本回路構成を示すものである。
同図に示すように水晶発振器１００は、発振用トランジスタ１０１のコレクタ・エミッタ間に水晶振動子１０２を接続すると共に、トランジスタ１０１のコレクタ・ベース間に容量１０３を接続し、トランジスタ１０１のベース・エミッタ間にインダクタンス１０４を接続したものである。
【０００３】
更に、図１６に示すは、図１５に示す水晶発振器の等価回路であり、同相入出力増幅回路１０１’の入出力端子間に水晶振動子１０２を挿入接続すると共に、増幅回路１０１’の出力端と接地との間に容量１０３を挿入接続し、増幅回路１０１’の入力端と接地との間にインダクタンス１０４を挿入接続したものである。
図１６に示す水晶発振器に於いて、容量１０３のキャパシタンス値をＣ２、インダクタンス１０４のインダクタンス値をＬ２、水晶振動子の端子間電圧をｖｘｔ、インダクタンス１０４の端子間電圧をｖ１、容量１０３の端子間電圧をｖ２、インダクタンス１０４と水晶振動子１０１を流れる電流をｉ１、容量１０３を流れる電流をｉ２、増幅回路１０１’を流れる電流をｉ３＝ｇｍｖ１、水晶振動子のインピーダンスをＺｘｔとして回路の負性抵抗Ｒｃｉ及び回路リアクタンスＸｃｉは以下の算出手順の結果、式（１）（２）として表すことができる。
【０００４】
【数１】
2004048689.tif 000003
【０００５】
そして、上記式（１）から理解できるようにハートレー型発振器の場合、負性抵抗値（−Ｒｃｉ）を決定する要素に周波数が含まれないので、特に高周波発振タイプの発振器を構成する場合では負性抵抗値を決定する要素に周波数要因が含まれるコルピッツ型発振器の場合と比較して所望の負性抵抗が得られるよう回路設定が行い易いという利点があった。
【０００６】
【発明が解決しようとする課題】
しかしながら、図１５に示したような水晶発振器１００の場合、インダクタンス１０４と水晶振動子１０２の静電容量等の浮遊容量との結合によって所望の発振周波数以外の周波数にて発振（不要共振）してしまうという問題が生じる場合があった。
即ち、図１７は、図１５に示した水晶発振器１００を負性抵抗−Ｒｃｉと回路リアクタンスＸｃｉ及び水晶振動子の等価回路１０５を用いて示した等価回路であり、インダクタンスＬ１と容量Ｃ１及び抵抗Ｒ１とから成る直列回路と静電容量Ｃｏとの並列回路は、水晶振動子の共振周波数近傍に於ける等価回路１０５である。
そして、同図に示す回路構成に於ける共振回路としては、インダクタンスＬ１と容量Ｃ１と抵抗Ｒ１と回路リアクタンスＸｃｉ及び負性抵抗―Ｒｃｉとから成り所望の共振周波数を発生する為の第１の閉ループの他に、回路リアクタンスＸｃｉに含まれる回路容量Ｃ２と静電容量Ｃｏとから成る合成容量と回路リアクタンスＸｃｉに含まれる誘導性インダクタンスＬ２及び負性抵抗−Ｒｃｉとから成る第２の閉ループが存在し、この第２の閉ループによる共振回路が不要共振を発振させてしまうのである。
【０００７】
本発明は、上述したような問題を解決するためになされたものであって、高周波発振に適し且つ、不要共振が発生しないハートレー型水晶発振器を提供する。
【０００８】
【課題を解決するための手段】
上記目的を達成するために本発明に係わる請求項１記載の発明は、ベース接地型増幅回路用トランジスタのコレクタ・エミッタ間に並列接続した圧電振動子と、前記トランジスタのエミッタ・接地間に挿入接続した容量及び抵抗から成る並列回路と、前記トランジスタのコレクタ・電源間に挿入接続した容量と抵抗及びインダクタンスから成る並列回路と、前記電源に接続された接地用のバイパス容量とを備えたことを特徴とする。
【０００９】
請求項２記載の発明は、ベース接地型増幅回路用トランジスタのエミッタ・接地間に挿入接続した抵抗をエミッタ抵抗としたコレクタ接地型増幅回路用トランジスタを備え、該コレクタ接地型増幅回路用トランジスタのベースと前記ベース接地型増幅回路用トランジスタのコレクタとの間に挿入接続するよう圧電振動子を備え、前記ベース接地型増幅回路用トランジスタのコレクタ・電源間に挿入接続した容量と抵抗及びインダクタンスから成る並列回路と、前記コレクタ接地型増幅回路用トランジスタのベース・エミッタ間若しくはベース・接地間に挿入接続した容量と、前記電源に接続された接地用のバイパス容量とを備えたことを特徴とする。
【００１０】
請求項３記載の発明は請求項１又は請求項２記載の発明に加え、前記ベース接地型増幅回路用トランジスタのエミッタ側に接続した容量が可変容量素子であることを特徴とする。
【００１１】
請求項４記載の発明は請求項１又は請求項３記載の発明に加え、前記圧電振動子が２ポート型圧電振動子であることを特徴とする。
【００１２】
請求項５記載の発明は、同相アンプを構成するロジックＩＣと該ロジックＩＣの入出力端に並列接続した２ポート型圧電振動子と、前記ロジックＩＣの出力端と接地との間に挿入接続した容量と、前記ロジックＩＣの入力端と接地との間に挿入接続した容量及びインダクタンスから成る並列回路とを備えたことを特徴とする。
【００１３】
請求項６記載の発明は、同相アンプを構成するロジックＩＣと該ロジックＩＣの入出力端に並列接続した２ポート型圧電振動子と、前記ロジックＩＣの入力端と接地との間に挿入接続した容量と、前記ロジックＩＣの出力端と接地との間に挿入接続した容量及びインダクタンスから成る並列回路とを備えたことを特徴とする。
【００１４】
請求項７記載の発明は請求項１乃至請求項６記載の発明に加え、前記水晶発振器の圧電振動子を除く回路構成部分に於ける負荷容量成分とインダクタンス成分及び角周波数ωの２乗の積算値が１より小さい値であり、前記回路構成部分に於けるリアクタンスが容量性であることを特徴とする。
【００１５】
【発明の実施の形態】
以下、図示した実施例に基づいて本発明を詳細に説明する。
図１は、本発明に係るハートレー型水晶発振器の一実施例を示すものである。同図に示す水晶発振器１は、発振用トランジスタ２のコレクタ・エミッタ間に水晶振動子３を接続し、トランジスタ２のエミッタ・接地間に抵抗４及び容量５から成る並列回路を挿入接続し、トランジスタ２のベース・接地間に抵抗６及び容量７から成る並列回路を挿入接続してベース接地型増幅回路を構成すると共に、トランジスタ２のコレクタ・電源Ｖｃｃ間にインダクタンス８と抵抗９及び容量１０から成る並列回路を挿入接続し、更に電源Ｖｃｃと接地間にバイパス容量１１を挿入接続し、電源Ｖｃｃとトランジスタ２のベースとを抵抗１２を介して接続するよう構成したものである。
以下、本発明の基づく水晶発振器１が不要共振しない為の設定条件について説明する。
【００１６】
図２、図３は、水晶発振器１の等価回路を示したものである。
図２に示すように水晶発振器１は、コレクタ・接地間にインダクタンス８と抵抗９と容量１０及び定電流原Ｇｍｖ１とから成る並列回路を挿入接続し（Ｇｍは相互コンダクタンス）、エミッタ・接地間にトランジスタのエミッタ抵抗１３と抵抗４及び容量５から成る並列回路を挿入接続し、更にコレクタとエミッタとを水晶振動子３にて接続した構成の等価回路として表すことができる。
更に、図３に示す等価回路に於いては、図２に示す等価回路に於けるコレクタ・接地間の並列回路をインダクタンス１４及び抵抗１５から成る第１の直列回路に変換すると共に、エミッタ・接地間の並列回路を容量１６及び抵抗１７から成る第２の直列回路に変換して水晶発振器１の等価回路を示したものである。
そして、図２及び図３に示す等価回路に於ける、インダクタンス８をＬｅｇ、抵抗９をＲｅｇ、容量１０をＣｃｇ、抵抗１３をＲｉ、抵抗４をＲｅｇ、容量５をＣｅｇ、水晶振動子のインピーダンスをＺｘｔ、インダクタンス１４をＬ２、抵抗１５をｒ２、容量１６をＣ１、抵抗１７をｒ１、図３に示す等価回路に於ける第１の直列回路の端子間電圧をｖ２、第１の直列回路に流れる電流をｉ２、第２の直列回路の端子間電圧をｖ１、第２の直列回路及び水晶振動子３に流れる電流をｉ１、として水晶発振器１の負性抵抗−Ｒｃｉ及び回路リアクタンスＸｃｉは以下の算出手順の結果、式（３）、（４）として表すことができる。
【００１７】
【数２】
2004048689.tif 000004
【００１８】
更に、図１に示す水晶発振器１に於いても図１７に示す等価回路から、不要発振の原因となる閉ループは、−Ｒｃｉ、Ｘｃｉ、Ｃｏから構成されるが、以下の式（５）の条件と、ハートレー型水晶発振器の発振条件としてインダクタンス８（Ｌｃｇ）と抵抗９（Ｒｃｇ）及び容量１０（Ｃｃｇ）から成る並列回路が誘導性と成るよう以下の式（６）の条件をもを満たすよう回路設定することにより、所望の共振周波数に於ける発振動作機能を維持することが可能であり、且つ、回路リアクタンスＸｃｉを容量性となるよう設定することで上記不要共振を励起させる閉ループの共振機能が失われるので不要共振の発生を防止することができる。
【００１９】
【数３】
2004048689.tif 000005
【００２０】
以下、水晶発振器１について等価回路パラメータをＲｉ＝１２０Ω、Ｒｅｇ＝１ｋΩ、Ｃｅｇ＝３００ｐＦ、Ｃｃｇ＝１００ｐＦ、Ｌｃｇ＝２．２μＨ、Ｒｃｇ＝１０ｋΩ、トランジスタ２：２ＳＣ３７３２、Ｇｍ＝０．０１９Ａ／Ｖに設定し電気的特性に関するシミュレーションを行ったので、その結果について説明する。
図４は、本発明に基づく水晶発振器１に於ける、負性抵抗の周波数特性及び回路容量性リアクタンスの周波数特性を示すものあり、同図に於いて負性抵抗の周波数特性を実線にて示し、回路容量性リアクタンスの周波数特性を点線にて示す。
そして、同図に於いて、上記式（５）の条件を満たすのは回路容量性リアクタンスＣｃｉの値が正の値のときであり、また、上記式（６）の条件を満たすのは負性抵抗値Ｒｃｉが負の値のときであるから、両条件式の関係を満たして水晶発振器１が不要振動を起さず且つ、安定した所望の励振動作を維持できるのは、安定動作領域Ａの範囲内である。
【００２１】
図５は、上記説明した水晶発振器１の発振信号をバッファ回路を介して得る場合の回路構成図の一例を示すものであり、図１に示す水晶発振器と同一機能要素には同一の符号を付与したものである。
即ち、図５に示す水晶発振器は、水晶発振器１と、バッファ回路１８とを備えたものであり、バッファ回路１８は、例えばＦＥＴ１９のソース・接地間に容量２０と抵抗２１とから成る並列回路を挿入接続し、ＦＥＴ１９のドレイン・電源Ｖｃｃ間に抵抗２２を挿入接続すると共に、ＦＥＴ１９のドレインを容量２３を介して出力端子とし、ＦＥＴ１９のゲート・接地間に抵抗２４を挿入接続したものである。
そして、水晶発振器は、バッファ回路１８の入力端であるＦＥＴ１９のドレインと水晶発振器１の出力端であるトランジスタ２のエミッタとを直流カット用の容量２５を介して接続したものである。
【００２２】
図６は、図５に示す水晶発振器構成に基づくＶＣＸＯ（Ｖｏｌｔａｇｅ　Ｃｏｎｔｒｏｌｌｅｄ　Ｃｒｙｓｔａｌ　Ｏｓｃｉｌｌａｔｏｒ）の可変容量素子をトランジスタ２のエミッタ・接地間に挿入接続した場合の周波数感度特性と、コレクタ・接地間に挿入接続した場合の周波数感度特性を実測値に基づき示したものである。
即ち、同図の実線で示す特性は、可変容量素子をトランジスタ２のコレクタ・接地間に挿入接続した場合の周波数感度特性であり、同図の破線で示す特性は、可変容量素子をトランジスタ２のエミッタ・接地間に挿入接続した場合の周波数感度特性である。
同図から明らかなように何れの回路構成の場合も、周波数可変幅は約３００ｐｐｍ得られるが、可変容量ダイオードをコレクタ・接地間に挿入接続した場合では可変容量ダイオードをエミッタ・接地間に挿入接続した場合と比較して単位電圧に対する周波数偏差量で表される周波数可変感度特性が急峻である。
従って、可変容量素子はエミッタ・接地間に挿入接続するよう構成する方が周波数制御が行いやすいと云う点で望ましい。
【００２３】
図７は、本発明に基づく水晶発振器の他の実施例を示すものであり、図５に示す水晶発振器と同一の機能の回路要素には同一の符号を付与する。
同図に示す水晶発振器の特徴は、水晶振動子の電極間容量Ｃｏの値が小さい２ポート型振動子を採用したことにより、水晶発振器の異常発振動作を抑圧した所にある。
即ち、水晶振動子に於いて２つの励振電極が水晶基板を挟むよう対向して配置された一般的な構造のものである場合は、この構造がコンデンサに近いものであるから励振電極間容量Ｃｏの値が大きくなってしまうが、２ポート型水晶振動子の場合は、水晶基板の同一主面上に２つの励振電極を隣接配置した構造であるため、電極間容量Ｃｏの値を小さくすることができるので、これにより励振電極間容量Ｃｏが発振動作に与える影響を皆無にすることが可能である。
従って、上述した本発明に基づく水晶発振器の機能と２ポート型水晶振動子の機能とを複合することにより、より効果的に水晶発振器の異常発振動作を抑圧することが可能である。
【００２４】
尚、各励振電極と接地電極との間に発生した電極間容量については、図２に示す容量５、容量１０との並列容量として発振器の負荷容量の一部とみなすことができる。
図８は、本発明に基づく水晶発振器の他の実施例を示すものであり、図１に示す水晶発振器と同一機能の回路要素には同じ符号を付与した。
同図に示す水晶発振器の特徴は、発振ループ回路内にエミッタフォロア回路（コレクタ接地型増幅回路）を接続したところにある。
即ち、同図に示す水晶発振器は、コレクタ接地型増幅回路用トランジスタ２６のベースに適宜バイアスするよう抵抗２７、２８から成るバイアス回路を接続し、トランジスタ２６のエミッタとエミッタ抵抗２９との接続点を容量３０を介しトランジスタ２６のベースに接続し、更に、トランジスタ２６のエミッタとトランジスタ２のエミッタとを接続し、トランジスタ２６のベースと水晶振動子３の一方端とを接続する。
そして例えば、トランジスタ２６のコレクタ端を容量３１を介して出力端ＯＵＴに接続する場合は、コレクタ抵抗３２を備える。
このような構成の水晶発振器は、エミッタフォロア回路によって発振器の入力インピーダンスを大きく設定することが可能であるため、大きな負性抵抗を得ることが可能である。
【００２５】
尚、図９は図８に示す水晶発振器の等価回路を示すものであり、同図（ａ）は第１の等価回路を示す、同図（ｂ）は第１の等価回路の並列回路部分を直列回路に変換した第２の等価回路を示すものである。
即ち、同図（ａ）に示す第１の等価回路は、水晶振動子３の一端（トランジスタ２のコレクタ側の接続端）と接地との間に定電流源３３と容量１０と抵抗３４及びインダクタンス３５から成る並列回路を挿入接続し、水晶振動子３の他端（トランジスタ２６のベース側の接続端）と接地との間にトランジスタ２６のベース・エミッタ間要素として容量３０とトランジスタ容量３６及びトランジスタ抵抗３７の並列回路と、定電流源３８及び抵抗３９から成る並列回路とを直列に挿入接続したものである。
【００２６】
同図（ｂ）に示す第２の等価回路は、第１の等価回路の容量１０と抵抗３４及びインダクタンス３５から成る並列回路部分を抵抗４０及びインダクタンス４１から成る直列回路に変換すると共に、第１の等価回路の容量３０と容量３６及び抵抗３７から成る並列回路部分を抵抗４２及び容量４３から成る直列回路に変換したものである。
そしてこれら等価回路の構成要素に於いて、容量１０をＣｃｇ、抵抗３４をＲｃｇ、インダクタンス３５をＬｃｇ、定電流源３３をＧｍｖｅ、容量３０をＣｂｅ、容量３６をＣπ、抵抗３７をＲπ、定電流源３８をｇｍｖ１、抵抗３９をＲｉ、抵抗４０をｒ２、インダクタンス４１をＬ２、抵抗４２をｒ１、容量４３をｃ１として、更に、抵抗４２と抵抗４３とから成る直列回路のインピーダンスをｚ１、該直列回路の端子間電圧をｖ１及び、該直列回路に流れる電流をｉ１、抵抗４０とインダクタンス４１とから成る直列回路のインピーダンスをｚ２、該直列回路の端子間電圧をｖ２及び、該直列回路に流れる電流をｉ２、抵抗３９の端子間電圧をｖｅ、抵抗３９に流れる電流をｉｅとした各値を用いて回路リアクタンスＸｃｉから容量性リアクタンスＣｃｉを以下の算出手順に従い式（７）如く導き出すことができる。
そして、上述した式（５）及び式（６）の場合の如く、当該回路に於いても所望の共振周波数に於ける発振動作機能を維持することが可能であり、且つ、回路リアクタンスＸｃｉを容量性となるよう設定することで上記不要共振を励起させる閉ループの共振機能が失われるので不要共振の発生を防止することができる場合は式（８）と式（９）の条件を満たしたときである。
【００２７】
【数４】
2004048689.tif 000006
【００２８】
【数５】
2004048689.tif 000007
【００２９】
【数６】
2004048689.tif 000008
【００３０】
【数７】
2004048689.tif 000009
【００３１】
以下、図８に示す水晶発振器について等価回路パラメータをＲπ＝２６００Ω、Ｃπ＝１０ｐＦ、Ｃｂｅ＝３００ｐＦ又は可変、Ｒｅｇ＝１ｋΩ、Ｃｃｇ＝１００ｐＦ、Ｌｃｇ＝２．２μＨ、Ｒｃｇ＝１０ｋΩ、ＴＲ１：２ＳＣ３７３２、ｇｍ＝Ｇｍ＝０．０３８Ａ／Ｖに設定し電気的特性に関するシミュレーションを行ったので、その結果について説明する。
図１０は、図８に示す水晶発振器のリアクタンス値（Ｃｃｉ）と負性抵抗（Ｒｃｉ）の周波数特性のシュミレーション結果を示す。
そして、同図から、上記式（９）の条件を満たすのは回路容量性リアクタンスＣｃｉの値が正の値のときであり、また、上記式（８）の条件を満たすのは負性抵抗値Ｒｃｉが負の値のときであるから、水晶発振器が不要振動を起さず且つ、安定した所望の励振動作を維持できるのは、安定動作領域Ａの範囲内であることが理解できる。
【００３２】
図１１は、本発明に基づく水晶発振器の他の実施例を示すものである。
同図に示す水晶発振器が図８に示す水晶発振器と異なる点は、容量３０をトランジスタ２６のベース・接地間に挿入接続すると共に、出力端ＯＵＴをトランジスタ２のコレクタ・電源間の分割容量４４、４５の接続中点に接続すると共に、トランジスタ２６のコレクタを電源に直接接続したところにある。
図１２は、本発明に基づく水晶発振器の他の実施例を示すものである。
同図に示す水晶発振器が図８に示す水晶発振器と異なる点は、容量３０をトランジスタ２６のベース・接地間に挿入接続すると共に、水晶振動子３として２ポート型水晶振動子を備えたところにある。
そして、図１１及び図１２に示す水晶発振器であっても上述した本発明による機能が得られることはいうまでもない。
【００３３】
以上、２ポート型水晶振動子を用いた場合の水晶発振器についてベース接地型増幅回路を用いて本発明を説明したがた本発明はこれに限定されるものではなく、ベース接地型増幅回路の他にＣＭＯＳバッファ回路、ＰＥＣＬ（Ｐｏｓｉｔｉｖｅ　Ｅｍｉｔｔｅｒ　Ｃｏｕｐｌｅｄ　Ｌｏｇｉｃ）、ＥＣＬ（Ｅｍｉｔｔｅｒ　Ｃｏｕｐｌｅｄ　Ｌｏｇｉｃ）、ＬＶＤＳ（Ｌｏｗ　Ｖｏｌｔａｇｅ　Ｄｉｆｆｅｒｅｎｔｉａｌ　Ｓｉｇｎａｌｉｎｇ）等の同相アンプを構成したロジックＩＣを用いても構わない。
【００３４】
図１３は、同相アンプとして例えばＣＭＯＳバッファを用いた場合の本発明に基づく水晶発振器の他の実施例を示すものであり、図１４は、同相アンプとして例えばＰＥＣＬ又はＬＶＤＳを用いた場合の本発明に基づく水晶発振器の他の実施例を示すものである。
即ち、図１３に示す水晶発振器は、ＣＭＯＳバッファ４６の入出力端に並列接続した２ポート型水晶振動子３を備えると共に、同図（ａ）に於いてはＣＭＯＳバッファの入力端と接地との間に容量４７及びインダクタンス４８とから成る並列回路を挿入接続すると共にＣＭＯＳバッファ４６の出力端と接地との間に容量４９を挿入接続するよう構成したものであり、同図（ｂ）に於いては、ＣＭＯＳバッファの入力端と接地との間に容量４７を挿入接続すると共にＣＭＯＳバッファ４６の出力端と接地との間にインダクタンス４８及び容量４９から成る並列回路を挿入接続するよう構成したものである。
【００３５】
また図１４に示す推奨発振器は、例えばＰＥＣＬの反転・非反転入力端子間に抵抗５０を接続すると共に、反転入力端子と接地との間に容量５１を挿入接続し、更に非反転入力端子と非反転出力端子との間に２ポート型水晶振動子３を備えると共に、水晶振動子３の一端と接地との間に容量４７を挿入接続し、水晶振動子４の他の一端と接地との間の容量４９を挿入接続すると共に、同図（ａ）に於いてはＰＥＣＬの入力端子と接地との間にインダクタンス４８を挿入接続し、同図（ｂ）に於いてはＰＥＣＬの出力端子と接地との間にインダクタンス４８を挿入接続するよう構成したものである。
そしてこれらの構成を有する水晶発振器であっても上述した本発明の機能が得られる。
尚、以上本発明を水晶発振器を用いて説明したが、本発明はこれに限定されるものではなく、水晶以外の圧電材料から構成された振動子を用いた圧電発振器にも適用できる。
【００３６】
【発明の効果】
本発明は上述したように、本発明に基づく水晶発振器は、ベース接地型増幅回路用トランジスタのコレクタ・エミッタ間に並列接続した圧電振動子と、前記トランジスタのエミッタ・接地間に挿入接続した容量及び抵抗から成る並列回路と、前記トランジスタのコレクタ・電源間に挿入接続した容量と抵抗及びインダクタンスから成る並列回路と、前記電源に接続された接地用のバイパス容量とを備えた構成としたので、高周波発振に適し且つ、正常に発振動作することができると云う効果を奏するものである。
【図面の簡単な説明】
【図１】本発明に係る圧電発振器の一実施例を示すものである。
【図２】本発明に係る圧電発振器の一実施例の等価回路を示すものである。
【図３】本発明に係る圧電発振器の一実施例の等価回路を示すものである。
【図４】本発明に係る圧電発振器の電気的特性の周波数特性を示すものである。
【図５】本発明に係る圧電発振器の他の実施例を示すものである。
【図６】本発明に係る圧電発振器の周波数感度特性を示すものである。
【図７】本発明に係る圧電発振器の他の実施例を示すものである。
【図８】本発明に係る圧電発振器の他の実施例を示すものである。
【図９】本発明に係る圧電発振器の他の実施例の等価回路を示すものである。
【図１０】本発明に係る圧電発振器の他の実施例の電気的特性の周波数特性を示すものである。
【図１１】本発明に係る圧電発振器の他の実施例を示すものである。
【図１２】本発明に係る圧電発振器の他の実施例を示すものである。
【図１３】本発明に係る圧電発振器の他の実施例を示すものである。
【図１４】本発明に係る圧電発振器の他の実施例を示すものである。
【図１５】従来の圧電発振器を示すものである。
【図１６】従来の圧電発振器を示すものである。
【図１７】従来の圧電発振器の等価回路を示すものである。
【符号の説明】
１水晶発振器、２ベース接地増幅回路用トランジスタ、３水晶振動子、４、６、９、１２、１３、１５、１７、２１、２２、２４、２７、２８、２９、３２、３４、３７、３９、４０、４２、５０抵抗、５、７、１０、１１、１６、２０、２３、２５、３０、３１、３６、４３、４４、４５、４７、４９、５１容量、８、１４、３５、４１、４８インダクタンス、１８バッファ回路、１９トランジスタ、２６コレクタ接地回路用トランジスタ、３３、３８定電流源、４６ロジックＩＣ、１００水晶発振器、１０１トランジスタ、１０１’増幅器、１０２水晶振動子、１０３容量、１０４インダクタンス、１０５水晶振動子の等価回路
【図１】
2004048689.tif 000010
【図２】
2004048689.tif 000011
【図３】
2004048689.tif 000012
【図４】
2004048689.tif 000013
【図５】
2004048689.tif 000014
【図６】
2004048689.tif 000015
【図７】
2004048689.tif 000016
【図８】
2004048689.tif 000017
【図９】
2004048689.tif 000018
【図１０】
2004048689.tif 000019
【図１１】
2004048689.tif 000020
【図１２】
2004048689.tif 000021
【図１３】
2004048689.tif 000022
【図１４】
2004048689.tif 000023
【図１５】
2004048689.tif 000024
【図１６】
2004048689.tif 000025
【図１７】
2004048689.tif 000026